(57)【特許請求の範囲】
【請求項１】
システム全体の電源を供給するシステム電源供給手段と、
電源スイッチと、
上記電源スイッチの操作を該電源スイッチとの接続点の電圧レベルにより検出して上記システム電源供給手段の電源供給を制御する制御手段と、
上記システム電源供給手段から供給される電源電圧に応じて、電源オン状態のときオン、電源オフ状態のときオフに制御される第１のスイッチ手段と、
上記電源スイッチに接続され、上記電源スイッチと上記第１のスイッチ手段の一端との間、又は上記電源スイッチと接地端子との間を、選択的に切換接続する第２のスイッチ手段とを備え、
上記第１のスイッチの他端は接地され、
上記第２のスイッチ手段により上記電源スイッチが上記第１のスイッチ手段に切換接続された状態で、上記システム電源供給手段からの上記電源電圧により上記第１のスイッチ手段がオフ状態のとき、上記制御手段は上記電源スイッチの操作を受け付けないこと
を特徴とする電源装置。
【請求項２】
上記第１のスイッチ手段は、上記第２のスイッチ手段との接続端子を、オン時に接地状態とし、オフ時にハイインピーダンス状態とすることを特徴とする請求項１記載の電源装置。
【請求項３】
上記制御手段は、上記電源スイッチとの接続点の電圧レベルをディジタル値に変換するアナログ／ディジタル変換手段を備えることを特徴とする請求項１記載の電源装置。
【請求項４】
上記電源スイッチはトグルスイッチであり、上記第２のスイッチ手段により上記電源スイッチが上記第１のスイッチ手段に切換接続された状態で、上記システム電源供給手段からの上記電源電圧により上記第１のスイッチ手段がオン状態のとき、上記制御手段は上記電源スイッチの操作に応じて上記システム電源供給手段の電源供給をオフすることを特徴とする請求項１記載の電源装置。
【請求項５】
上記第２のスイッチ手段に連動した第３のスイッチ手段を更に備え、この第３のスイッチ手段を上記制御手段に接続して上記第２のスイッチ手段の選択状態を上記制御手段で検出するようにしたことを特徴とする請求項１記載の電源装置。
【請求項６】
上記システム電源供給手段は、１次電池又は２次電池からの電源をシステムに供給することを特徴とする請求項１記載の電源装置。
【発明の詳細な説明】
【０００１】
【発明の属する技術分野】
本発明は、電源装置に関し、特に、電池駆動タイプの携帯用電子機器に適用して好ましい電源装置に関するものである。
【０００２】
【従来の技術】
近年において、携帯性を持つ電池駆動タイプの小型電子機器が各種開発されている。これらの電子機器にとって、鞄やポケット等の中の入れて持ち運ぶ際、誤って電源スイッチが入って電池が無駄に消費されてしまい、実際の使用の際に、十分な電源が供給されない事が懸念される。
【０００３】
これらを防止するため各種の対策が提案されている。
例えば、図５の（Ａ）に示すように、小型電子機器の筐体５１に設けられた操作スイッチ部５２に対して、機械的にスライドするカバー５３を設ける構造が挙げられる。この場合において、小型電子機器を持ち運ぶ際には、カバー５３を矢印ａ方向にスライドさせて、電源スイッチ５４を含む操作スイッチ部５２を図５の（Ｂ）に示すように覆うことにより、誤ってスイッチが押される事が無いようにするものである。
【０００４】
また、図６に示す小型携帯用ビデオカメラ装置６１等の場合には、レンズ部の側壁面等に電源スイッチを兼ねたモード切換用のスイッチ６２を設け、このモード切換用のスイッチ６２として、中央部の釦６３を押しながらスライドしないと機械的に動かないような、いわゆるプッシュスライドスイッチを用いることが挙げられる。この例では、スイッチ６２が中点位置にあるときが電源オフで、矢印ａ方向に釦６３を押しながらスライドすることでカメラ撮影モードに、また矢印ｂ方向に釦６３を押しながらスライドすることでビデオ録再モードに、それぞれ切り換えられるようになっている。
【０００５】
また、図７に示す例では、携帯用小型ディスク再生装置７１等において、再生、停止、早送り等の各種の操作スイッチとは別に、ホールドスイッチ７３を設け、このホールドスイッチ７３をオンすることで、そのときの動作状態を保持（ホールド）させている。
【０００６】
この図７の例のホールドスイッチに関連する回路は、例えば図８に示すように構成されている。この図８において、電源スイッチ８１やその他の操作スイッチ８２を含む操作スイッチ部８０と、これらのスイッチ８１，８２の入力を検出するＡ／Ｄ変換器を含むＣＰＵ等で構成される制御回路８３の入力端子との間に、上記ホールドスイッチ７３に対応するスライドスイッチ８５を挿入接続している。このスイッチ８５は、端子ａ側に切り換えられたとき操作スイッチ部８０と制御回路８３とが接続され、端子ｂ側に切り換えられたとき操作スイッチ部８０と制御回路８３とが切り離されるようになっており、スイッチ８５と制御回路８３との間は＋Ｖdd電源端子８７が抵抗８８を介して接続され（いわゆるプルアップされ）ている。また、各スイッチ８１，８２は、それぞれの一端がスイッチ８５側に接続され、それぞれの他端が接地されている。これらのスイッチ８１，８２には、互いの抵抗値が異なる抵抗（Ｒ1,Ｒ2,Ｒ3等） がそれぞれ挿入接続されており、オンされたスイッチによって制御回路８３に検出される電圧値（抵抗分圧値）が異なることから、いずれのスイッチがオンされたかが制御回路８３側で判別できるようになっている。なお、この例では電源スイッチ８１には抵抗を挿入接続していない。
【０００７】
このような構成において、上記図７の携帯用小型ディスク再生装置７１等を持ち運ぶ際には、ホールドスイッチ７３に相当するスイッチ８５をオンし、すなわち矢印Ａ方向にスライドさせてｂ側に切換接続し、操作スイッチ部８０と制御回路８３の入力部とを切り離すことにより、電源スイッチ８１やその他の操作スイッチ８２のオン操作が検出されないようにしている。
【０００８】
次に、上記ホールドスイッチに対応するスイッチ８５を、操作スイッチ８０とは別系統に、図９のスイッチ９３として設ける場合の例を説明する。この図９の回路において、操作スイッチ８０と制御回路８３とはスイッチを介さずに直接接続されており、これとは別に、上記ホールド用のスイッチ９３が、制御回路８３のホールドスイッチ入力端子に接続されている。このスイッチ９３と制御回路８３との間は、＋Ｖdd電源端子９４が抵抗９５を介して接続され（プルアップされ）ている。さらに、制御回路８３はシステム電源供給回路９１の電源供給をオン／オフ制御し、制御回路８３にはＣＰＵ電源回路９３からのＣＰＵ電源が供給されている。上記ホールドスイッチのオン状態は、スイッチ９３を矢印Ａ方向にスライドさせて被選択端子ｂ側に切換接続し、制御回路８３の上記ホールドスイッチ入力端子を接地した状態に対応する。
【０００９】
この図９の例では、省電力を効果的にするため、ＣＰＵ等の制御回路８３には省電力モード（クロックダウン、メモリ内容保持、時計カウンター動作続行、特定入力によるウェイクアップ機能等を含む）があり、ウェイクアップ特定入力で通常はＡ／Ｄ入力に設定できる端子があるものとする。これを操作スイッチ８０の入力端子に設定する。上記ウェイクアップ機能とは、制御回路８３、特にＣＰＵが省電力モードになっている状態で、特定端子に入力があったとき、割り込みが自動的にかかり、これを使うことにより制御回路８３を省電力モードから通常モードに立ち上げることができる機能をいう。
【００１０】
次に動作について、図１０及び図１１を参照しながら説明する。図１０は電源オン時（通常状態）のフローチャート、図１１は電源オフされて省電力モードのときの操作スイッチ検出のフローチャートをそれぞれ示す。
【００１１】
図１０に示す電源オンで通常状態のときには、ステップＳ１０１で操作スイッチ８１，８２による入力があったか否かを常に監視している。次に操作スイッチ８１，８２の入力があったとき、ステップＳ１０２によりホールドスイッチ（図９のスイッチ９３）がオンか否かをチェックする。ホールドスイッチがオン、すなわち図９でスイッチ９３が端子ｂ側に切換接続されているとき、制御回路８３の上記ホールドスイッチ入力端子が０（Ｖ）であり、ホールドスイッチがオフ、すなわちスイッチ９３が端子ａ側のときは、ホールドスイッチ入力端子は＋Ｖdd（Ｖ）となり判別できる。
【００１２】
ホールドスイッチがオンのとき、ステップＳ１０３で操作スイッチ８１，８２の操作は無視して操作検出ルーチンを抜ける。
【００１３】
一方、上記ホールドスイッチがオフのときは、さらにステップＳ１０４で電源スイッチ８１が押されたか否か、すなわち上記ステップＳ１０１で押圧操作されたスイッチが電源スイッチ８１であるか否かを判別する。電源スイッチ８１が押された場合、ステップＳ１０５でシステム電源回路９１にコントロール信号を送ってシステム電源をオフし、ステップＳ１０６でＣＰＵ（制御回路８３）を省電力モードにする。
【００１４】
電源スイッチ８１が押されたのではない場合、ステップＳ１０７で他の操作スイッチ８２の判別をして操作スイッチ入力ルーチンを抜ける。各操作スイッチの判別は、それぞれの操作スイッチに挿入接続された抵抗値が互いに異なることから、制御回路８３の操作スイッチ入力端子の電圧を検出することで行える。
【００１５】
次に、図１１において、電源オフでＣＰＵ（制御回路８３）が省電力モードの時、操作スイッチ入力端子は、Ａ／Ｄ入力端子としてではなく、ウエイクアップ特定入力端子として機能しているため、操作入力スイッチ８１，８２のどれかが押される（ステップＳ１０８）と、ＣＰＵが省電力モードから通常モードになる（ステップＳ１０９）。この通常モードで、上記操作スイッチ入力端子はＡ／Ｄ入力として機能することになる。
【００１６】
次にステップＳ１１０でホールドスイッチ（スイッチ９３）がオンか否かをチェックする。ホールドスイッチがオンの場合、ステップＳ１１１で操作スイッチ８１，８２の入力を無視し、次にステップＳ１１２でＣＰＵを通常モードから省電力モードに戻し、操作スイッチ入力ルーチンを抜ける。
【００１７】
一方、ホールドスイッチがオフの場合、ステップＳ１１３で電源スイッチ８１が操作されたか否かを判別する。電源スイッチ８１が押されていない時、ステップＳ１１１で操作スイッチの入力を無視し、続いてステップＳ１１２で通常モードから省電力モードに戻り、操作スイッチ入力ルーチンを抜ける。
【００１８】
また、ステップＳ１１２で電源スイッチ８１が押されていた時はステップＳ１１４でシステム電源回路９１にコントロール信号を送ってシステム電源をオンし、電源オンの通常モードになり（ステップＳ１１５）、操作スイッチ入力ルーチンを抜ける。
【００１９】
【発明が解決しようとする課題】
ところで、電池駆動タイプの電子機器にとって、いかに省電力的に設計し動作時間をより長くするかは大きな課題である。とくに携帯性のある小型機器にとって誤って電源が入ってしまって電池が消費されることは最大の懸念であった。
【００２０】
このため、前述のように多くの対策が考えられてきたが、総合的には一長一短があった。
【００２１】
例えば、図５に示したスライド式カバー構造や、図６のプッシュスライド式電源スイッチ等は、部品の増加や組み込み工数増加等のためコストがかかるのみならず、複雑な機構であるため壊れやすい。
【００２２】
また、図７のホールドスイッチを設ける構成では、素早く電源スイッチを切りたい場合、ホールドスイッチがオンされていると電源が切れない。その為、完全な省電力的とは言えない。
【００２３】
さらに、図９〜図１１に示した例の場合には、ＣＰＵが省電力モードの状態において、ホールドスイッチが入っている時でさえ、誤って電源スイッチや操作スイッチ入った時、ＣＰＵの動作として、一度省電力モードから通常モードに戻ってホールドスイッチが入っているか切れているかを検出し、このホールドスイッチのオン／オフ状態に応じて電源を入れるかどうかを決定していた。この場合、ホールドスイッチがオンされていればシステムの主電源は入らないものの、例えば電子機器を鞄に入れて持ち運んでいる際等に電源スイッチが押され続けた状態になっていると、ＣＰＵが省電力モードから通常モードに頻繁に切り替わることになり、ＣＰＵの省電力モードの効果が半減してしまった。
【００２４】
本発明はかかる実情に鑑みてなされたものであり、電子機器、特に、携帯用の電池駆動タイプの電子機器に対して、カバー等の余分な機構部品やプッシュスライドスイッチのような複雑な機構部品を必要とせずに簡単な構成で電源スイッチの誤動作を防止でき、特に、最大の懸念である携帯時等に誤って電源スイッチが入ってしまって電池が消費されてしまうような不具合をより効果的に防止することができ、安価でより省電力化が図れるような電源装置の提供を目的とする。
【００２５】
【課題を解決するための手段】
本発明は、上述した課題を解決するために、システム全体の電源を供給するシステム電源供給手段と、電源スイッチと、上記電源スイッチの操作を該電源スイッチとの接続点の電圧レベルにより検出して上記システム電源供給手段の電源供給を制御する制御手段と、上記システム電源供給手段から供給される電源電圧に応じて、電源オン状態のときオン、電源オフ状態のときオフに制御される第１のスイッチ手段と、上記電源スイッチに接続され、上記電源スイッチと上記第１のスイッチ手段の一端との間、又は上記電源スイッチと接地端子との間を、選択的に切換接続する第２のスイッチ手段とを備え、上記第１のスイッチの他端は接地され、上記第２のスイッチ手段により上記電源スイッチが上記第１のスイッチ手段に切換接続された状態で、上記システム電源供給手段からの上記電源電圧により上記第１のスイッチ手段がオフ状態のとき、上記制御手段は上記電源スイッチの操作を受け付けないことを特徴としている。
【００２６】
上記第１のスイッチ手段は、上記第２のスイッチ手段との接続端子を、オン時に接地状態とし、オフ時にハイインピーダンス状態とすることが好ましい。また、上記制御手段は、上記電源スイッチとの接続点の電圧レベルをディジタル値に変換するアナログ／ディジタル変換手段を備えることが好ましい。また、上記電源スイッチはトグルスイッチであり、上記第２のスイッチ手段により上記電源スイッチが上記第１のスイッチ手段に切換接続された状態で、上記システム電源供給手段からの上記電源電圧により上記第１のスイッチ手段がオン状態のとき、上記制御手段は上記電源スイッチの操作に応じて上記システム電源供給手段の電源供給をオフすることが好ましい。また、上記第２のスイッチ手段に連動した第３のスイッチ手段を更に備え、この第３のスイッチ手段を上記制御手段に接続して上記第２のスイッチ手段の選択状態を上記制御手段で検出するようにすることが好ましい。
【００２７】
【発明の実施の形態】
以下、本発明に係る実施の形態について図面を参照しながら説明する。
先ず、本発明に係る電源装置は、図１に示すように、システム全体の電源を供給するシステム電源供給回路１と、電源スイッチ２と、電源スイッチ２のオン／オフ操作を検出して上記システム電源供給回路１の電源供給を制御する制御回路３と、システム電源供給回路１から供給される電源電圧に応じてオン／オフ制御される第１のスイッチ４と、電源スイッチ２に接続され、電源スイッチ２と第１のスイッチ４の一端との間、又は電源スイッチ２と接地端子との間を、選択的に切換接続する第２のスイッチ５とを有して構成されている。第１のスイッチ４は、第２のスイッチ５との接続端子を、オン時に接地状態とし、オフ時にハイインピーダンス状態とする。制御回路３は、電源スイッチ２との接続点（操作スイッチ入力端子）の電圧レベルをディジタル値に変換するアナログ／ディジタル（Ａ／Ｄ）変換器６を備えている。電源スイッチ２は、一端に＋Ｖdd電源端子７が抵抗８を介して接続され（いわゆるプルアップされ）、他端が第２のスイッチ５に接続されている。
【００２８】
この図１の構成において、第２のスイッチ５が接地側の被選択端子ａに切換接続されているときには、電源スイッチ２の他端が接地される。この電源スイッチ２はいわゆるトグルスイッチであり、電源スイッチ２を操作する毎に制御回路３はシステム電源供給回路１の電源供給をオン（供給）／オフ（遮断）制御する。第２のスイッチ５が被選択端子ｂに切換接続されて、電源スイッチ２が第１のスイッチ４に接続された状態で、システム電源供給回路１からの電源電圧により第１のスイッチ４がオフ状態のとき、制御回路３は電源スイッチ２の操作を受け付けない。また、第２のスイッチ５により電源スイッチ２が第１のスイッチ４に切換接続された状態で、システム電源供給回路１からの電源電圧により第１のスイッチ４がオン状態のとき、制御回路３は電源スイッチ２の操作に応じてシステム電源供給回路１の電源供給をオフする。
【００２９】
すなわち、第２のスイッチ５は、パワーオン防止スイッチ、あるいはパワープロテクトスイッチとして機能するものであり、このスイッチ５がオン（被選択端子ｂに切換接続）されているときには、システム電源供給状態で電源スイッチ２を操作して電源をオフすることはできるが、システム電源がオフしている状態で電源スイッチ２を操作しても電源はオンされない。
【００３０】
図２は、操作スイッチを有するより具体的な例を示し、電源スイッチ２と共に各種操作スイッチ２１，２２，２３を有する操作スイッチ部２０が、制御回路３の操作スイッチ入力端子に接続されている。上記第１のスイッチ４には、例えばＮＰＮ型トランジスタが用いられており、このトランジスタのベースにシステム電源供給回路１からのシステム電源電圧Ｖs が分圧抵抗Ｒt1，Ｒt2を介して印加され、コレクタが第２のスイッチ５の被選択端子ｂに接続され、エミッタが接地されている。スイッチ４となるトランジスタのベースの分圧抵抗Ｒt1，Ｒt2は、ブリーダ抵抗とも称され、システム電源電圧Ｖs が供給されるときトランジスタがオンするような抵抗値に設定されている。なお、トランジスタ以外に、ＦＥＴやその他のスイッチング素子が使用できることは勿論である。また、第２のスイッチ５には、スライドスイッチが用いられており、共通端子が被選択端子ａ側に接続されている状態がオフで、矢印Ａ方向にスライドされて被選択端子ｂ側に接続された状態がオンである。
【００３１】
操作スイッチ部２０は、制御回路３の操作スイッチ入力端子と第２のスイッチ５との間に、電源スイッチ２、その他の操作スイッチ２１，２２，２３が並列に設けられて構成され、操作スイッチ２１，２２，２３には、それぞれスイッチ操作検出用の抵抗Ｒ21，Ｒ22，Ｒ23が挿入接続されている。これらのスイッチ操作検出用の抵抗Ｒ21，Ｒ22，Ｒ23は、互いに異なる抵抗値を有し、また、任意の２つの抵抗の並列抵抗値が他の抵抗値と異なるように設定されている。操作スイッチ部２０と制御回路３の操作スイッチ入力端子との間は、上述したようにプルアップ抵抗８を介して＋Ｖdd電源端子７に接続され、このプルアップ抵抗８の抵抗値をＲu とするとき、操作スイッチ入力の判別は次のようにして行われる。
【００３２】
すなわち、第２のスイッチ５がオフ（被選択端子ａに切換接続）されて操作スイッチ部２０が接地されている状態において、操作スイッチ部２０にてスイッチ操作がなければ、制御回路３の操作スイッチ入力端子には電源電圧＋Ｖddがほぼそのまま現れるが、操作スイッチ２１，２２，２３のいずれかのスイッチｘが押圧操作されると、該スイッチｘが押圧されている間だけ制御回路３の操作スイッチ入力端子が抵抗Ｒ21，Ｒ22，Ｒ23の内の対応する抵抗Ｒx を介して接地されることになるから、制御回路３の操作スイッチ入力端子には、
Ｖdd×Ｒx／（Ｒx＋Ｒu）
の電圧が現れることになる。また、電源スイッチ２が押圧操作されたときには、抵抗値がほぼ０で接地されるから、制御回路３の操作スイッチ入力端子の電圧はほぼ０となる。従って、この制御回路３の操作スイッチ入力端子に現れる電圧をＡ／Ｄ変換器６で検出することにより、いずれのスイッチが操作されたかを判別することができる。
【００３３】
また、本実施の形態に用いられている制御回路３のＣＰＵは、通常の電力供給がなされる動作モード（通常モード）と省電力モードとを切り換えることができ、この省電力モードにおいては、ＣＰＵ電源回路１１からの必要最小限の電源供給での動作状態となっており、クロックダウン、メモリ内容保持、時計カウンター動作続行、特定入力によるいわゆるウェイクアップ機能等が実現される。このウェイクアップ機能とは、上記省電力モードにおいて、特定入力があったとき、割り込みが発生し、省電力モードから通常モードに遷移することをプログラマブルに設定できるものである。例えば、上記割り込みが発生する条件として、電源スイッチ２を含む操作スイッチ入力信号の立ち下がりと設定し、ＣＰＵ（制御回路３）のＡ／Ｄ変換器６への入力として使用されるポート（上記操作スイッチ入力端子）を、省電力モード時に特定入力ポートとして使用する。この場合、省電力モードにおいては、Ａ／Ｄ変換入力の数値は判別できないため、ポート設定のレジスタを一般の入出力ポートに再設定する。この状態で、省電力モードになっているＣＰＵの上記操作スイッチ入力端子に立ち下がり信号が入力されると上記割り込みが発生し、上記操作スイッチ入力端子を一般の入出力ポートからＡ／Ｄ変換入力ポートに再設定し、そのＡ／Ｄ変換入力の値を読み取って、押されたスイッチがどのスイッチかを判別し、電源スイッチ２であれば電源オン制御動作を行い、それ以外のスイッチであれば再び省電力モードに戻るようにしている。
【００３４】
次に、図２の構成の動作を説明する。
電源が入ってシステム電源が供給されている時、まず、上述したパワープロテクトスイッチである第２のスイッチ５がオフ、すなわち被選択端子ａ側に切換接続されているとき、スイッチ５を通して操作スイッチ部２０の一端が接地レベル（グランド：０Ｖ）となり、電源スイッチ２を含む操作スイッチ入力判別が上述したように制御回路３で行われる。
【００３５】
次にスイッチ５がオン、すなわち被選択端子ｂ側に切換接続されているとき、第１のスイッチ４としてのトランジスタのブリーダ抵抗Ｒt1，Ｒt2にシステム電源電圧Ｖs が供給されるため、トランジスタ（スイッチ４）がオンする。その結果、トランジスタのコレクタが０Ｖになる。従って、第２のスイッチ５がオン、すなわち被選択端子ｂ側に切換接続されていても、このスイッチ５を介し、スイッチ４を介して、操作スイッチ部２０の片側が０Ｖになり、電源スイッチ２を含む操作スイッチ入力が上述と同様に制御回路３で検出できる。
【００３６】
従って、システム電源オン時には、パワープロテクトスイッチである第２のスイッチ５のオン、オフに関係なく電源スイッチ２が有効になり、電源スイッチ２を押すことにより電源オフして省電力モードにすることができる。
【００３７】
一方、電源が切れていて、省電力モードになっている場合、システム電源が供給されていない。以下、この時の動作の説明を行う。
【００３８】
先ず、この電源オフで省電力モードの状態において、パワープロテクトスイッチである第２のスイッチ５がオフ、すなわち被選択端子ａ側に切換接続されているときには、操作スイッチ部２０の片側がスイッチ５を介して接地されるから、操作スイッチ部２０での各スイッチ２，２１，２２，２３の操作が通常通り有効になる。すなわち、省電力モードのとき制御回路３の操作スイッチ入力端子は特定入力端子として機能しており、電源スイッチ２が押された場合には、特定入力によるウェイクアップ機能として、割り込みが自動的にかかってシステム電源をオンする制御が行われる。
【００３９】
次に、上記電源オフで省電力モードの状態において、パワープロテクトスイッチである第２のスイッチ５がオン、すなわち被選択端子ｂ側に切換接続されているとき、第１のスイッチ４としてのトランジスタのブリーダ抵抗Ｒt1，Ｒt2にはシステム電源電圧Ｖs が供給されていないため、該トランジスタ（スイッチ４）がオフしており、その結果操作スイッチ部２０の片側がオープンとなり、誤って電源スイッチ２を含む操作スイッチが押されても、制御回路３の操作スイッチ入力端子は電源電圧＋Ｖddのまま変化せず、操作スイッチの操作が制御回路３に受け付けられることがない。
【００４０】
この際、操作スイッチが押され続けていても、＋Ｖdd電源端子７からプルアップ抵抗８とスイッチ操作検出用の抵抗Ｒ21，Ｒ22，Ｒ23（電源スイッチは０オーム）を通して流れる入力検出電流も発生せず、検出の際、一度制御回路３が省電力モードから通常モードになって検出して再度省電力モードに戻るような動作も無く、ロス電流の消費が発生しない。従って、安価で、より省電力的で、誤って電源が入ることを防止できる。
【００４１】
図３は、上記図２の構成の実施の形態をさらに発展させたものである。この図３の例においては、図２の第２のスイッチとして用いられたパワープロテクト用のスライドスイッチを１回路のものから２回路のものに変更し、連動する第２のスイッチ５Ａ及び第３のスイッチ５Ｂとし、第３のスイッチ５Ｂを制御回路３の他の入力端子（パワープロテクト入力端子）に接続したものである。この図３の例で、パワープロテクトスイッチである第２、第３のスイッチ５Ａ，５Ｂは、矢印Ａ方向にスライドされて、それぞれ被選択端子ｂ，ｄに切換接続された状態がオン状態に相当する。
【００４２】
ここで、上記図２の例においては、システム電源がオンのとき、第１のスイッチ４であるトランジスタがオンし、第２のスイッチ５がオン（ｂ側）であろうとオフ（ａ側）であろうと、スイッチ操作入力が有効になり、制御回路６には、パワープロテクトとしての第２のスイッチ５の状態がわからなかった。
【００４３】
これに対して、図３の例においては、第２のスイッチ５Ａに連動する第３のスイッチ５Ｂの状態が制御回路３の上記入力端子（パワープロテクト入力端子）に入力されるため、制御回路３側でパワープロテクトスイッチ（連動スイッチ５Ａ，５Ｂ）の状態が検出できる。例えばシステム電源がオンの時、パワープロテクトスイッチとしての連動スイッチの１つであるスイッチ５Ｂがオン、すなわち被選択端子ｄ側に切換接続されているとき、制御回路３の上記入力端子（パワープロテクト入力端子）は接地されて０Ｖとなり、オフ、すなわち被選択端子ｃ側に切換接続されているときはほぼ電源電圧＋Ｖddとなる。
【００４４】
このようにすることにより、システム電源がオンのとき、パワープロテクトスイッチ（連動スイッチ５Ａ，５Ｂ）の状態に応じて操作スイッチの入力の有効、無効をコントロールできるようになる。
【００４５】
例えば、電子機器のシステム電源がオンで、上記パワープロテクトスイッチがオンの場合、再生等の動作中はすべてのスイッチは無効、動作停止中は電源オフのみ有効とする。また、電子機器のシステム電源がオンで、上記パワープロテクトスイッチがオフの場合、すべての操作スイッチは有効で、電子機器の状態にあわせてモード選択等が行える。
【００４６】
以上のような動作を、図４のフローチャートを参照しながら説明する。
先ず、図４のステップＳ４１では、操作スイッチ部２０内の操作スイッチが押されたか否かを判別する。ＮＯの（押されていない）場合はこの処理ルーチンを抜け、ＹＥＳの場合はステップＳ４２に進んで、押されたスイッチが電源スイッチ２か否かを判別する。電源スイッチ２が押された場合は、ステップＳ４３で、上記パワープロテクトスイッチ（連動スイッチ５Ａ，５Ｂ）がオンか否かを判別する。パワープロテクトスイッチがオンのときにはステップＳ４４に進んで、再生動作等の動作途中か否かを判別する。動作途中の場合はステップＳ４５で入力（電源スイッチ２の操作入力）を無視し、動作途中で無い場合は、ステップＳ４６でシステム電源をオフ制御する。また、上記ステップＳ４３でＮＯ、すなわちパワープロテクトスイッチがオフであると判別されたときには、ステップＳ４７に進んで動作途中か否かを判別し、動作中の場合には動作が終了するまで待ってから、ステップＳ４６に進んで電源をオフする。次に、上記ステップＳ４２においてＮＯ、すなわち押されたスイッチが電源スイッチでは無いと判別されたときには、ステップＳ４８に進んで、パワープロテクトスイッチがオンか否かを判別する。パワープロテクトスイッチがオンのときにはステップＳ４９で入力を無視してこの処理ルーチンを抜け、パワープロテクトスイッチがオフのときにはステップＳ５０に進んで、上述した操作スイッチ入力端子の電圧を検出することによりどの操作スイッチが押されたかを判別し、この処理ルーチンを抜ける。
【００４７】
さらに、電源がオフで省電力モードになっているときは、上記図２の例と同様な動作となる。すなわち、パワープロテクトスイッチがオンの状態（連動スイッチ５Ａ及び５Ｂがそれぞれｂ側及びｄ側に切換接続されている状態）では、スイッチ４であるトランジスタのコレクタがオープンし、その結果操作スイッチ部２０の片側がオープンとなり、誤って電源スイッチ２を含む操作スイッチが押されても、制御回路３の操作スイッチ入力端子はほぼ電源電圧＋Ｖddのまま変化せず、スイッチ操作が受け付けられることがない。また、パワープロテクトスイッチがオフの状態（連動スイッチ５Ａ及び５Ｂがそれぞれａ側及びｃ側に切換接続されている状態）では、操作スイッチ部２０の片側がスイッチ５Ａを通して接地レベル（グランド）になり、操作スイッチが有効になるから、例えば電源スイッチ２が押された場合には、システム電源をオンする。
【００４８】
この場合、従来において問題とされていた動作、すなわち、電源がオフで省電力モードになっている状態で操作スイッチが入ることにより、ＣＰＵ（制御回路３）が省電力モードから通常モードに戻り（電源はオフのまま）ホールドスイッチを検出して、再びＣＰＵが省電力モードに戻るような動作が防止でき、このような不必要な動作によるロス（電力消費）を未然に無くすことができる。
【００４９】
またこの場合、電源が入っているのに操作入力が制限されることへのアナウンスとして、例えば「ＨＯＬＤ」等の警告表示を表示回路１２に表示させることもできる。
【００５０】
なお、本発明は上述した実施の形態のみに限定されるものではなく、例えば、上記実施の形態においては、電源スイッチと他の操作スイッチとを区別するために各スイッチに値の異なる抵抗を挿入接続し、操作スイッチ部を制御回路（ＣＰＵ）のＡ／Ｄ入力端子に接続していたが、電源スイッチのみの誤操作を防止するためには単に“Ｈ”，“Ｌ”（あるいは“１”，“０”）を区別できる一般入力ポートに電源スイッチを接続するようにしてもよい。また、制御回路（ＣＰＵ）の省電力モードは必要に応じて用いればよく、省電力モードを持たないＣＰＵに本発明を適用することも容易に行えることは勿論である。
【００５１】
【発明の効果】
本発明によれば、電源スイッチの操作を検出してシステム電源供給手段の電源供給を制御する制御手段と、システム電源供給手段から供給される電源電圧に応じてオン／オフ制御される第１のスイッチ手段と、電源スイッチに接続され、電源スイッチと第１のスイッチ手段の一端との間、又は電源スイッチと接地端子との間を、選択的に切換接続する第２のスイッチ手段とを備え、第２のスイッチ手段により電源スイッチが第１のスイッチ手段に切換接続された状態で、システム電源供給手段からの電源電圧により第１のスイッチ手段がオフ状態のとき、制御手段は電源スイッチの操作を受け付けないようにしているため、スイッチ部の保護カバーのような余分な機構部品を必要とせず、プッシュスライドスイッチのような複雑な機構部品も必要とせず、第１、第２のスイッチ手段を付加するだけの簡単で安価な構成で、電源オフ時に誤って電源スイッチが操作されることによる電源オン動作を未然に防止でき、電池等の電源の無駄な消費を抑えることができる。
【００５２】
また、上記電源スイッチをトグルスイッチとし、上記第２のスイッチ手段により上記電源スイッチが上記第１のスイッチ手段に切換接続された状態で、上記システム電源供給手段からの上記電源電圧により上記第１のスイッチ手段がオン状態のとき、上記制御手段は上記電源スイッチの操作に応じて上記システム電源供給手段の電源供給をオフすることにより、上記第２のスイッチ手段が上記第１のスイッチ手段に切換接続されていても、電源スイッチをオフする操作は容易に行え、電力消費の無駄を低減することができる。
【００５３】
さらに、上記第２のスイッチ手段に連動した第３のスイッチ手段を更に備え、この第３のスイッチ手段を上記制御手段に接続して上記第２のスイッチ手段の選択状態を上記制御手段で検出するようにしたことにより、第２、第３のスイッチ手段をホールドスイッチとして用いることができ、ホールド状態で操作スイッチの操作を無効とするような制御を行わせることが可能となる。
【図面の簡単な説明】
【図１】本発明の実施の形態としての電源装置の基本構成の一例を示すブロック図である。
【図２】図１の電源装置のより具体的な構成例を示すブロック図である。
【図３】図１の電源装置をさらに発展させた構成例を示すブロック図である。
【図４】図３の電源装置の電源オン時の動作を説明するためのフローチャートである。
【図５】電子機器の操作スイッチを機械的にカバーする構造の一例の要部を示す斜視図である。
【図６】プッシュスライドスイッチを用いた電子機器の概略構成を示す外観斜視図である。
【図７】ホールドスイッチを有する電子機器の概略構成を示す外観斜視図である。
【図８】ホールドスイッチを有する電子機器の電源装置の回路構成の一例を示すブロック図である。
【図９】ホールドスイッチを有する電子機器の電源装置の回路構成の他の例を示すブロック図である。
【図１０】図９の電源装置の電源がオンのときの動作を説明するためのフローチャートである。
【図１１】図９の電源装置の電源がオフのときの動作を説明するためのフローチャートである。
【符号の説明】
１  システム電源供給回路、  ２  電源スイッチ、  ３  制御回路（ＣＰＵ）、  ４  第１のスイッチ、  ５，５Ａ  第２のスイッチ（パワープロテクトスイッチ）、  ５Ｂ  第３のスイッチ、  ６  Ａ／Ｄ変換器、  ７  ＋Ｖdd電源端子、  ８  プルアップ抵抗、  １１  ＣＰＵ電源回路、  ２０  操作スイッチ部、２１，２２，２３  操作スイッチ
【図１】
0003968491.tif 000002
【図２】
0003968491.tif 000003
【図３】
0003968491.tif 000004
【図４】
0003968491.tif 000005
【図５】
0003968491.tif 000006
【図６】
0003968491.tif 000007
【図７】
0003968491.tif 000008
【図８】
0003968491.tif 000009
【図９】
0003968491.tif 000010
【図１０】
0003968491.tif 000011
【図１１】
0003968491.tif 000012